(57)【特許請求の範囲】
【請求項１】
チェア（１００）のヘッドレスト（１）を左右に揺動させるヘッドレスト揺動機構であって、
バックシート（２０）の上部に突設されたヘッドレスト支持具（１０）と、
ヘッドレスト（１）の背面に固着され、同ヘッドレスト支持具（１０）に摺動可能に装着してなるスライダー（３）と、
前記スライダー（３）を左右に揺動させる駆動装置とからなり、
前記スライダー（３）を左右に揺動させる駆動装置が、モータ（５）と該モータ（５）により捲回又は巻き取られる引張部材（６）とからなることを特徴とするチェアのヘッドレスト揺動機構。
【請求項２】
前記スライダー（３）が、ヘッドレストの基板（２）に固着され、前記ヘッドレスト支持具（１０）のスライダー支持部（１１）に摺動可能に支持され、前記モータ（５）により捲回又は巻き取られる引張部材（６）によって左右に揺動されることを特徴とする請求項１に記載のチェアのヘッドレスト揺動機構。
【請求項３】
前記スライダー（３）が、全体又は揺動角度範囲に相当する中心部分を円弧状に形成されてなる帯状体又は棒状体であることを特徴とする請求項１又は２に記載のチェアのヘッドレスト揺動機構。
【請求項４】
前記スライダー（３）の左右近傍に引張部材（６）を掛架する滑車（７、７’）が備えられてなり、スライダー（３）の一端に固着された引張部材（６）が一方の滑車（７）に掛架されて走行方向を逆転され、次いでモータ（５）のプーリーに捲回され、さらに他方の滑車（７’）に掛架されて走行方向を再度逆転されてスライダー（３）の他端に固着され、たすき掛け形状に配設されてなることを特徴とする請求項１〜３のいずれか１項に記載のチェアのヘッドレスト揺動機構。
【請求項５】
前記スライダー（３）に固着された引張部材（６ａ、６ｂ）を巻き取るプーリーを有するモータ（５ａ、５ｂ）２個が備えられ、スライダー（３）の一端に固着された引張部材（６ａ）を一方のモータ（５ｂ）で、スライダー（３）の他端に固着された引張部材（６ｂ）を他方のモータ（５ａ）で、交互に巻き取ることによって前記ヘッドレスト（１）を左右に揺動させてなることを特徴とする請求項１〜４のいずれか１項に記載のチェアのヘッドレスト揺動機構。
【請求項６】
前記モータ（５又は５ａ，５ｂ）が、バックシート（２０）の背面内部に配設され、それぞれのモータ（５又は５ａ，５ｂ）により捲回又は巻き取られる前記引張部材（６又は６ａ，６ｂ）をヘッドレスト（１）とバックシート（２０）との間に延伸配設する機構を備えてなることを特徴とする請求項１〜５のいずれか１項に記載のチェアのヘッドレスト揺動機構。
【請求項７】
請求項１〜６のいずれか１項に記載のチェアのヘッドレスト揺動機構を備えたことを特徴とするヘッドレスト。
【請求項８】
請求項７に記載のチェアのヘッドレストの揺動機構を備えたヘッドレストを有してなることを特徴とするチェア。
【発明の詳細な説明】
【技術分野】
【０００１】
本発明は、チェアのヘッドレスト揺動機構にかかるものであり、特に医療現場におけるチェアに仰臥した患者の頭部を、患者に負担をかけることなく、ヘッドレストの揺動によって施術者が診断・治療を行うのに適した向きに円滑に揺動できるチェアのヘッドレスト揺動機構、及び同ヘッドレスト揺動機構を備えたヘッドレスト並びに同ヘッドレストを備えたチェアに関する。
【背景技術】
【０００２】
チェアのヘッドレストを揺動させる機構として、例えば、特許文献１には『診療椅子の頭背部傾斜機構』（特開２０１１−５０６３２号公報）が開示されている。
その特許請求の範囲には、
『［請求項１］診療椅子におけるヘッドレストに頭部傾斜手段を、および／またはバックレストに背部傾斜手段を設けてヘッドレストおよび／またはバックレストを側方に傾斜させることにより、患者の頭部や背部を側方に傾斜させることを特徴とする診療椅子の頭背部傾斜機構。
［請求項２］前記頭部傾斜手段は、モータ駆動により診療椅子の縦方向の軸を中心にヘッドレストを回動させることにより患者の頭部を側方に傾斜させることを特徴とする請求項１記載の診療椅子の頭背部傾斜機構。
［請求項３］前記頭部傾斜手段は、モータ駆動によりギアとラックを介してヘッドレストを遥動させることにより患者の頭部を側方に傾斜させることを特徴とする請求項１記載の診療椅子の頭背部傾斜機構。』
と記載されており、ギアとラックによってヘッドレストの揺動が行われる。
【先行技術文献】
【特許文献】
【０００３】
【特許文献１】特開２０１１−５０６３２号公報
【発明の概要】
【発明が解決しようとする課題】
【０００４】
特許文献１の発明においては、頭部傾斜機構の実施例１として段落［００１４］に、
「ヘッドレストアーム５側に設けられたヘッドレスト基体６に、ブラケット７を介してギアードモータ８を、その軸８ａを診療台の縦方向に沿って取り付け、一方、クッション基台３に左右回転駆動支持部材９を固定すると共に、左右回転駆動支持部材９の下部に回転軸１０を固定し、回転軸１０の両端を軸受１１にて回動自在に支持させ、この回転軸１０に対し、カップリング１２を介してギアードモータ８の回転軸８ａを連結したもので、ギアードモータ８の駆動にて左右回転駆動支持部材９を側方に（矢印Ｂ方向）回動する回動式頭部傾斜機構が構成されている。」と記され、
また実施例２として段落［００１６］には、
「ヘッドレスト装着部材１６の裏面側に円弧状のラック１３を固定し、一方、ヘッドレストアーム５側に設けられたヘッドレスト基体６にブラケット７を介してギアードモータ８を固定すると共に、このギアードモータ８の回転軸８ａにギア１５を固定し、このギア１５と前記ラック１３を歯合させてギアードモータ８を駆動することによりヘッドレスト１を遥動する遥動式頭部傾斜機構に構成されている。」
と記載されており、いずれの場合もギアードモータの配設位置は患者の後頭部近くに限定されることから、モータの回転音やギアとラックの噛合音が患者の耳に達しやすい懸念がある。
また、ヘッドレストの揺動中に患者がその揺動を阻止するように動いたときなどヘッドレストの揺動を阻害する力が作用した場合には、ギアードモータでは、その回転を停止する手段を備えていなければモータに過大な負荷が掛かり故障の原因にもなりかねないという問題もある。
本発明は、上記背景技術の問題点に鑑みてなされたもので、モータの配設位置に自由度を持たせ、ヘッドレストの揺動を阻害する力が作用した場合にもモータに過大な負荷が加わることのないチェアのヘッドレスト揺動機構を提供する。
【課題を解決するための手段】
【０００５】
本発明者らは上記課題を下記の手段により解決した。
（１）チェアのヘッドレストを左右に揺動させるヘッドレスト揺動機構であって、
バックシートの上部に突設されたヘッドレスト支持具と、
ヘッドレストの背面に固着され、同ヘッドレスト支持具に左右摺動可能に装着されてなるスライダーと、
前記スライダーを左右に揺動させる駆動装置とからなり、
前記スライダーを左右に揺動させる駆動装置が、モータと該モータにより捲回又は巻き取られる引張部材とからなることを特徴とするチェアのヘッドレスト揺動機構。
【０００６】
（２）前記スライダーが、ヘッドレストの基板に固着され、前記ヘッドレスト支持具のスライダー支持部に左右摺動可能に支持され、前記モータにより捲回又は巻き取られる引張部材によって左右に揺動されることを特徴とする前記（１）に記載のチェアのヘッドレスト揺動機構。
（３）前記スライダーが、全体又は揺動角度範囲に相当する中心部分を円弧状に形成されてなる帯状体又は棒状体であることを特徴とする前記（１）又は（２）に記載のチェアのヘッドレスト揺動機構。
【０００７】
（４）前記スライダーの左右近傍に引張部材を掛架する滑車が備えられてなり、スライダーの一端に固着された引張部材が一方の滑車に掛架されて走行方向を逆転され、次いでモータのプーリーに捲回され、さらに他方の滑車に掛架されて走行方向を再度逆転されてスライダーの他端に固着され、たすき掛け形状に配設されてなることを特徴とする前記（１）〜（３）のいずれか１に記載のチェアのヘッドレスト揺動機構。
（５）前記スライダーに固着された引張部材を巻き取るプーリーを有するモータ２個が備えられ、スライダーの一端に固着された引張部材を一方のモータで、スライダーの他端に固着された引張部材を他方のモータで、交互に巻き取ることによって前記ヘッドレストを左右に揺動させてなることを特徴とする前記（１）〜（３）のいずれか１に記載のチェアのヘッドレスト揺動機構。
【０００８】
（６）前記モータが、バックシートの背面内部に配設され、それぞれのモータにより捲回又は巻き取られる前記引張部材をヘッドレストとバックシートとの間に延伸配設する機構を備えてなることを特徴とする前記（１）〜（５）のいずれか１に記載のチェアのヘッドレスト揺動機構。
【０００９】
（７）前記（１）〜（６）のいずれか１に記載のチェアのヘッドレスト揺動機構を備えたことを特徴とするヘッドレスト。
（８）前記（７）に記載のチェアのヘッドレスト揺動機構を備えたヘッドレストを有してなることを特徴とするチェア。
【発明の効果】
【００１０】
本発明のチェアのヘッドレスト揺動機構によって、下記の効果が発揮できる。
〈１〉チェアのヘッドレストを左右に揺動させるヘッドレスト揺動機構が、バックシートの上部に突設されたヘッドレスト支持具と、ヘッドレストの背面に固着され、同ヘッドレスト支持具に左右摺動可能に装着してなるスライダーと、前記スライダーを左右に揺動させる駆動装置とで構成され、該駆動装置が、モータと、該モータにより捲回又は巻き取られる引張部材とからなるので、
構造が簡便で、保守点検が容易であり、ヘッドレストの左右への揺動を阻害する力が作用した場合も、引張部材とモータとの間で滑りが生じ、モータの過負荷による故障のおそれも少なく、安全に使用できる。
〈２〉前記スライダーが、その全体又は揺動角度範囲に相当する中心部分を円弧状に形成されてなる帯状体又は棒状体であり、ヘッドレスト支持具のスライダー支持部に対して左右に滑らかに摺動し、チェアに仰臥した患者等の頭部に振動等による不快感を与えることがない。
【００１１】
〈３〉前記スライダーの左右近傍に引張部材を掛架する滑車を備え、引張部材が、前記スライダーの一端に固着された後、一方の滑車に掛架されて走行方向を逆転され、次いでモータのプーリーに捲回され、さらに他方の滑車に掛架されて走行方向を再度逆転してスライダーの他端に固着され、たすき掛け形状に張設されるので、
モータに捲回された引張部材が２つの滑車を介してスライダーを左右に揺動することから、小出力のモータによってヘッドレストを左右に揺動することができ、ヘッドレストに保持された患者の頭部を、診断・治療に適した向きに、容易かつ円滑に揺動でき、またモータの回転音も小さくなり患者へ不快感を与えず、診断・治療の効果を高めることができる。さらに、モータを複数個配設できるので、モータの分散配置によってヘッドレスト揺動機構をヘッドレスト内にコンパクトに収容・設置できる。
【００１２】
〈４〉前記スライダーの一端に固着された引張部材を巻き取るプーリーを有するモータ２個が備えられ、スライダーの一端に固着された引張部材を一方のモータで、スライダーの他端に固着された引張部材を他方のモータで、交互に巻き取ることによって前記ヘッドレストを左右に揺動させてなるので、
２個のモータと該モータのプーリーにそれぞれ巻き取らせるように装着された２本の引張部材とで構成できるので、小出力のモータによってヘッドレストを左右に揺動することができ、ヘッドレストに保持された患者の頭部を、診断・治療に適した向きに、容易かつ円滑に揺動でき、またモータの回転音も小さくなり患者へ不快感を与えず、診断・治療の効果を高めることができる。
〈５〉前記モータが、バックシートの背面内部に配設され、モータにより捲回又は巻き取られる前記引張部材を、ヘッドレストとバックシートとの間に延伸配設する機構とすることもできるので、
モータの装着スペースがヘッドレストより広く取れ、またモータが患者の耳元から離れた位置に設置されるので、モータの回転音が気にならないことから、ヘッドレストを左右に揺動するのに要する能力を持つモータを必要最小限数設置すればよく、操作、点検、保守が容易となる。
【００１３】
〈６〉前記課題を解決する手段の〈１〉〜〈５〉のいずれか１項に記載のチェアのヘッドレスト揺動機構を備えたヘッドレスト並びに該ヘッドレストを有してなるチェアであるので、
該チェアに仰臥し、ヘッドレストに保持された患者の頭部を、診断・治療に適した向きに、容易かつ円滑に左右に揺動でき、患者に負担を与えることなく、診断・治療の効果を高めることができる。
【図面の簡単な説明】
【００１４】
【図１】本発明にかかるチェアの外観斜視図及び説明用図面
【図２】本発明のヘッドレスト揺動機構の左右に揺動する第１実施例をヘッドレスト支持具に装着した状態の背面斜視図
【図３】図２に示す左右に揺動するヘッドレスト揺動機構の背面斜視図
【図４】図２に示すヘッドレスト揺動機構の構造及び作用説明図
【図５】本発明のチェアのヘッドレスト揺動機構の左右に揺動する第２実施例の構造及び作用説明図
【図６】本発明のチェアのヘッドレスト揺動機構の左右に揺動する第３実施例の構造及び作用説明図
【図７】前後に揺動する実施例のヘッドレスト揺動機構の背面斜視図
【図８】前後に揺動する実施例のヘッドレスト揺動機構の背面斜視図
【図９】ヘッドレスト揺動機構のモータをバックシートの背面に装着したチェアの構成概要説明用背面斜視図
【発明を実施するための形態】
【００１５】
本発明のチェアのヘッドレスト揺動機構を実施するための形態を実施例の図に基づいて説明する。
図１は、本発明にかかるチェアの外観斜視図及び説明用図面であり、図２は本発明のチェアのヘッドレスト揺動機構の左右に揺動する第１実施例をヘッドレスト支持具に装着した状態の背面斜視図、図３は図２に示したヘッドレスト揺動機構の左右に揺動する第１実施例の背面斜視図、図４は図２に示したヘッドレスト揺動機構の左右に揺動する第１実施例の構造及び作用説明図、図５は本発明のチェアのヘッドレスト揺動機構第２実施例の構造及び作用説明図、図６は本発明のチェアのヘッドレスト揺動機構の左右に揺動する第３実施例の構造及び作用説明図、図７、８は前後に揺動する実施例のヘッドレスト揺動機構の背面斜視図、図９はヘッドレスト揺動機構のモータをバックシートの背面に装着したチェアの構成概要説明用の背面斜視図である。
図において、１はヘッドレスト、２はヘッドレストの基板、３はスライダー、４はスペーサー、５，５’，５ａ，５ｂはモータ、６，６ａ，６ｂは引張部材、７，７’は滑車、８ａ，８ａ’ ，８ｂ，８ｂ’は滑車である。また、モータ５又は５ａ，５ｂをバックシートの背面内部に配設される際、各モータのプーリーに捲回又は巻き取られる前記引張部材を、ヘッドレストとバックシートとの間に延伸配設する機構として配設される。
また、９ａ，９ｂはチューブ、１０はヘッドレスト支持具、１１はスライダー支持部、１２はモータ取付部、そして２０はバックシート、１００はチェアを示す。
【実施例１】
【００１６】
本発明は、図１（ａ）に示すようなチェア１００を構成するヘッドレスト１を左右又は前後に揺動する機構にかかるものである。
本発明は、バックシートの上部に、当該チェアの利用者や、医療用チェアにおける患者等の頭部を支持するヘッドレスト１を備えるチェアであれば、そのチェアの用途を問わず採用することができるものである。
なお、本実施例においては、歯科治療等に用いられる歯科用チェアを例として説明する。
本発明にかかるチェアは、バックシート上部に備えられたヘッドレスト１を、図１（ｂ）に示すように左方向（矢印Ｂ）又は右方向（矢印Ａ）へ、すなわち当該チェアの着座者の頭部を当該着座者の正中線に対し左右の任意の角度に揺動できるものであり、あるいは図１（ｃ）に示すように前方（矢印ａ）へ又は後方（矢印ｂ）へ、すなわち当該チェアの着座者の頭部を当該着座者の正中線に対し前後の任意の傾斜角度に揺動できるものであり、チェアの使用目的により、左右の揺動機構、前後の揺動機構を適宜に選択することができるものである。
【００１７】
本発明のチェアのヘッドレストの揺動機構の第１の実施例は、図２〜図４に示すように、バックシート２０の上部に突設されたヘッドレスト支持具１０と、ヘッドレスト１の背面に固着され、同ヘッドレスト支持具１０に摺動可能に装着してなるスライダー３と、前記スライダー３を左右に揺動させる駆動装置とで構成され、該駆動装置がモータ５と、モータ５のプーリーに捲回される引張部材６とから形成されている。
前記引張部材６は、スライダー３をスライドさせるために使用されるものであり、ステンレス鋼や、タングステン、チタンなどの強度と耐久性を備える金属製ワイヤーであることが好ましいが、ナイロンやポリエステル、綿などのロープなどを採用することもできる。
【００１８】
本実施例のチェアのヘッドレスト揺動機構の構造、作用を図３及び図４によって詳述する。
ヘッドレスト１を揺動可能とするために、スライダー３がヘッドレスト１の基板２に備えられる。前記スライダー３は、スライダー支持部１１に摺動可能に支持させるために必要な隙間を空けて基板２に固着される。本実施例においては、スライダー３をヘッドレスト基板２に安定して前記隙間を確保して固着させるために、スペーサー４が介在しているが、前記隙間を保持できればスペーサー４を介在させる必要はなく、前記スライダー３のヘッドレスト基板２への固着方法は任意に選択できる。
また、該スライダー３には、引張部材６が配設され、当該引張部材６によって揺動可能となっている。
図３に示す実施例においては、スライダー３の左右端部に、モータ５，５’のプーリーに捲回された引張部材６の端部が固着されている。
また、前記スライダー３は、図４に示すように、全体又は揺動角度範囲に相当する中心部分が円弧状に形成される。図においては、スライダー３は、帯状体で形成されているが、ヘッドレスト１を揺動可能にする強度と必要とする揺動角度範囲を備えていればよく、その形状は、帯状体、棒状体、その他任意の形状でよい。
【００１９】
また本実施例において、前記ヘッドレスト支持具１０は、図３及び図４に示すように、スライダー３の揺動を可能に支持するスライダー支持部１１を備える。
また、スライダー３の近傍には、滑車７，７’、モータ取付部１２が備えられ、ヘッドレスト１内にモータ５が配設される。本実施例においては、２個の小型モータ５，５’を配設している。
前記ヘッドレスト支持具１０に備えられたスライダー支持部１１は、スライダー３が摺動可能な程度の空隙部を形成していて、該空隙部でスライダー３を保持する。図においては、スライダー支持部１１は、スライダー３の中央付近を支持するように配設されているが、スライダー３を摺動可能に支持できればよく、支持する位置や、形状は特に限定されない。
【００２０】
第１実施例においては、前記引張部材６が、図４（ｂ）に示すように、スライダー３の右端に固着され、前記ヘッドレスト支持具１０（図２参照）の左側に備えられた滑車７に掛架されて走行方向を逆転可能とし、モータ５のプーリー及びモータ５’のプーリーに捲回され、さらに前記ヘッドレスト支持具１０の右側に備えられた滑車７’に掛架されて走行方向を再度逆転してスライダー３の左端に固着され、すなわち、たすき掛け形状に掛架されている。
これにより、ヘッドレスト１を揺動させるため２つの小型モータ５，５’を同一方向に同一回転速度で回転させると、その回転方向によって前記引張部材６の走行方向が決まり、その走行方向によって引張部材６が固着されたスライダー３の左右端部のいずれかに牽引力が加わり、該スライダー３がスライダー支持部１１を摺動して移動するので、前記スライダー３が固着されたヘッドレスト基板２が動き、ヘッドレスト１が左右いずれかの方向に揺動することとなる。
【００２１】
図７に示す前後に揺動する実施例においては、前記引張部材６が、スライダー３の上端に固着され、前記ヘッドレスト支持具１０の上方の滑車７に掛架されて走行方向を逆転可能とし、モータ５及びモータ５’のプーリーに捲回され、さらに前記ヘッドレスト支持具１０の下方の滑車７’に掛架されて走行方向を再度逆転してスライダー３の下端に固着され、たすき掛け形状に掛架されている。
これにより、ヘッドレスト１を揺動させるため２つの小型モータ５，５’を同一方向に同一回転速度で回転させると、その回転方向によって前記引張部材６の走行方向が決まり、その走行方向によって引張部材６が固着されたスライダー３の上下端部のいずれかに牽引力が加わり、該スライダー３がスライダー支持部１１を摺動して移動するので、前記スライダー３が固着されたヘッドレスト基板２が動き、ヘッドレスト１が前後いずれかの方向に揺動することとなる。
【００２２】
また、本実施例で２個のモータ５，５’を使用したのは、ヘッドレスト１の揺動に要する駆動力を２個のモータ５，５’に分担させることによって小型化し、ヘッドレスト１の狭いスペース内に納まりやすくすることと、モータ５，５’を小型化することによって回転音も小さくなりモータ５，５’を患者の耳近くに配置しても患者にモータ音による不快感を与えることがないためであるが、ヘッドレスト１の形状や使用環境によって適宜モータの大きさや数を調整することが好ましい。
【実施例２】
【００２３】
本発明のチェアの第２の実施例は、図５に示すように、前記ヘッドレスト支持具１０（図２参照）が、前記スライダー支持部１１（図２参照）の左右に引張部材６ａ，６ｂを巻き取るプーリーを有するモータ５ａ，５ｂを備え、スライダー３の左端に固着された引張部材６ａを右側のモータ５ｂで、スライダー３の右端に固着された引張部材６ｂを左側のモータ５ａで、交互に巻き取ることによって前記ヘッドレスト１を揺動させてなるものである。
この実施例によれば、揺動機構を構成する部品数を少なくでき、引張部材６ａ，６ｂの長さを短くすることもできる。
【実施例３】
【００２４】
本発明のチェアの第３の実施例は、図６に示すように、前記ヘッドレスト支持具１０（図２参照）が、前記スライダー支持部１１（図２参照）の左右に引張部材６ａ，６ｂを巻き取るプーリーを有するモータ５ａ，５ｂを備え、かつ２個のモータ５ａ，５ｂに巻き取られる２本の引張部材６ａ，６ｂが、チューブ９ａ，９ｂ内に挿通されてなるものであり、前記引張部材６ａ，６ｂを挿通するチューブ９ａ，９ｂが、前記引張部材６ａ，６ｂの走行方向を逆転できるように湾曲して前記スライダー支持部１１の左右にそれぞれ固定されている。
そして、前記スライダー３の左端に固着された引張部材６ａは、前記ヘッドレスト支持具１０の右側に湾曲して固定されたチューブ９ｂに挿通されてその走行方向が逆転され、左側のモータ５ａのプーリーに巻き取り、また前記スライダー３の右端に固着された引張部材６ｂは、前記ヘッドレスト支持具１０の左側に湾曲して固定されたチューブ９ａに挿通されてその走行方向が逆転され、右側のモータ５ｂのプーリーに巻き取るといった操作を交互に行ってヘッドレスト１を揺動させてなるものである。
本実施例では、引張部材６の形状を保持するためにチューブ９ａ，９ｂを採用しているが、引張部材６の材質、性能に合わせて、適宜形状を保持する方法を選択する。
この実施例によれば、引張部材６ａ，６ｂの形状を容易に、かつ自由に保持でき滑車等の配設が不要となる。
また、スライダー３を縦に配置し、同様の構成で前後揺動も可能である。
【００２５】
図８に示す前後に揺動する実施例においては、前記引張部材６ａが、スライダー支持部１１の上端に固着され、ヘッドレスト基板２に備えられた上方の滑車７に掛架されてモータ５’のプーリーに捲回されてなり、引張部材６ｂが、スライダー支持部１１の下端に固着され、ヘッドレスト基板２に備えられた下方の滑車７’に掛架されてモータ５のプーリーに捲回されてなり、モータ５，５’で交互に引張部材６ａ，６ｂを巻き取ることによって、スライダー３がスライダー支持部１１内を揺動し、前記スライダー３に固着されたヘッドレスト基板２が動き、前記ヘッドレスト１を揺動させてなるものである。
このように、本発明のチェアにかかる揺動機構は、スライダー３の揺動によりヘッドレストを揺動させるものであり、引張部材６はスライダー３に固着しても、スライダー支持部１１に固着してもよく、引張部材６の固着箇所は任意に選択できる。
【００２６】
上記各実施例において、スライダー３を揺動させる駆動装置のモータ５による引張部材６の捲回や巻き取りのいくつかの構造を説明したが、本発明のチェアのヘッドレスト揺動機構は、上記実施例に示す構造に限定されるものではなく、本発明の技術思想を逸脱することなく、スライダーの形状や装着方法、駆動装置の構成、モータ５による引張部材６の捲回や巻き取りの構造、モータの数や配置位置、また、引張部材の種類や固着位置等は、種々の変更が可能であり、使用目的等に合わせてそれぞれ任意に選択できるものである。
【実施例４】
【００２７】
本発明のチェアの第４の実施例は、前記実施例１及び実施例３においてヘッドレスト１内に配設されているモータ５、あるいはモータ５ａ，５ｂをバックシート２０の内部に配設し、該モータ５、あるいはモータ５ａ，５ｂの回転による駆動力をスライダー３へ伝達してヘッドレスト１を揺動させる引張部材６を、前記ヘッドレスト１内の揺動機構とバックシート２０との間に掛架させる機構を備えてなるものである。
図９には、図２〜４に示したヘッドレスト揺動機構の２個のモータ５，５’を出力の大きい１個のモータとしてバックシート内に配置したヘッドレスト揺動機構の概要を模式的に示したものであり、モータ５の回転による駆動力をスライダー３へ伝達する引張部材６のヘッドレスト１とバックシート２０との間の張設機構として、滑車８ａ，８ａ’をヘッドレスト１内に、滑車８ｂ，８ｂ’をバックシート２０内に備えたものを示したが、これに限られるものでなく、また滑車８ａと８ｂとの間、８ａ’と８ｂ’の間に引張部材６を円滑に走行させるために別途ローラー等を配設されることがあってもよく、また引張部材６をチューブに挿入して形状を保持してもよく、具体的にはバックシート２０の上部に突設されたヘッドレスト支持具１０の構造によって選択形成さるべきものであることは言うまでもない。
本実施例４のヘッドレスト揺動機構にあっては、モータ５の装着スペースがヘッドレスト１より広く取れ、配置箇所の制約も受けないので、ヘッドレスト１を揺動するのに要する出力を持つ大きなモータ５を配置することができ、また前記モータ５が患者の耳元から離れた位置に設置されることから患者にモータ音による不快感を与えることがないという効果がもたらされる。
【符号の説明】
【００２８】
１：ヘッドレスト
２：ヘッドレストの基板
３：スライダー
４：スペーサー
５，５’，５ａ，５ｂ：モータ
６，６ａ，６ｂ：引張部材
７，７’：滑車
８ａ，８ａ’ ，８ｂ，８ｂ’：滑車
９ａ，９ｂ：チューブ
１０：ヘッドレスト支持具
１１：スライダー支持部
１２：モータ取付部
２０：バックシート
１００：チェア
【図１】
0006662613.tif 000002
【図２】
0006662613.tif 000003
【図３】
0006662613.tif 000004
【図４】
0006662613.tif 000005
【図５】
0006662613.tif 000006
【図６】
0006662613.tif 000007
【図７】
0006662613.tif 000008
【図８】
0006662613.tif 000009
【図９】
0006662613.tif 000010